(57)【特許請求の範囲】
【請求項１】
無線ネットワーク内の第１の基地局によって、少なくとも１つの第２の基地局から受信された信号に基づいて、ユーザデバイスのためのトラッキングエリアを表す、基地局のリストおよび基地局の前記リストに対応するセルのリストを決定するステップであって、前記少なくとも１つの第２の基地局から受信された前記信号が、前記少なくとも１つの第２の基地局と複数の第３の基地局との間の少なくとも１つの境界上におけるアクティビティの量についての表示を含む、ステップと、
ユーザデバイスのアクティブ状態からアイドル状態への遷移のための手順の間に、前記ユーザデバイスのためのトラッキングエリアとしての、基地局の前記リストおよびセルの前記リストのうちの少なくとも一方を含む信号の、前記第１の基地局から前記ユーザデバイスへの送信を制御するステップと
を含む方法。
【請求項２】
前記ユーザデバイスのためのトラッキングエリアとしての、基地局の前記リストおよびセルの前記リストの少なくとも一方を含む信号の、前記第１の基地局からモビリティ管理エンティティへの送信を制御するステップ
をさらに含む、請求項１に記載の方法。
【請求項３】
前記第１の基地局における、前記ユーザデバイスに対するページング信号の、モビリティ管理エンティティからの受信を制御するステップと、
前記第１の基地局による、前記ユーザデバイスに対する前記ページング信号の、基地局の前記リスト内の少なくとも１つの基地局への送信を制御するステップと
をさらに含む、請求項１に記載の方法。
【請求項４】
前記第１の基地局において、前記ユーザデバイスのための少なくとも１つのモビリティパラメータを決定するステップ
をさらに含み、
前記ユーザデバイスのための前記トラッキングエリアを表す、基地局の前記リストの決定は、前記ユーザデバイスのための前記モビリティパラメータにさらに基づく、
請求項１から３までのいずれか１項に記載の方法。
【請求項５】
前記第１の基地局における、前記少なくとも１つの第２の基地局のうちの第１の近隣基地局からの、前記少なくとも１つの第２の基地局と複数の第３の基地局とにおけるアクティビティの量についての表示を含む信号の受信を制御するステップであって、前記表示が、前記複数の第３の基地局のうちの２つの間の境界と関連付けられたアクティビティが、ある期間においてアクティビティの閾値量を超えることを示す、基地局境界リストを含む、ステップと、
前記第１の基地局が、ある期間においてアクティビティの前記閾値量を超えるアクティビティの量を有する、前記少なくとも１つの第２の基地局のうちの１つとの境界を含むかどうかを決定するステップと、
前記第１の基地局が、ある期間においてアクティビティの前記閾値量を超えるアクティビティの量を有する、前記少なくとも１つの第２の基地局のうちの１つとの境界を含むと決定すると、
前記基地局境界リストへの前記境界の識別情報を追加し、
前記第１の基地局による、前記基地局境界リストの、前記少なくとも１つの第２の基地局の各々への送信を制御するステップと
をさらに含む、請求項１から４までのいずれか１項に記載の方法。
【請求項６】
前記ユーザデバイスの解放を示し、前記ユーザデバイスのためのアンカ基地局としての前記第１の基地局の識別情報を含む信号の、前記第１の基地局からモビリティ管理エンティティへの送信を制御するステップを含む、請求項５に記載の方法。
【請求項７】
前記第１の基地局における、別のユーザデバイスのためのページング信号の、別の基地局からの受信を制御するステップ、ならびに
以下の少なくとも一方、すなわち、
前記第１の基地局による、前記別のユーザデバイスのための前記ページング信号の、前記別のユーザデバイスへの送信を制御するステップ、および
前記第１の基地局による、前記別のユーザデバイスのための前記ページング信号の、さらに別の基地局への送信を制御するステップ
の少なくとも一方
をさらに含む、請求項１に記載の方法。
【請求項８】
請求項１から７までのいずれか１項に記載の前記方法を実施するための手段を備える装置。
【請求項９】
コンピュータのためのコンピュータプログラムであって、前記コンピュータプログラムが前記コンピュータ上で実行されたときに、請求項１から７までのいずれかに記載の前記ステップを実行するためのソフトウェアコード部分を含む、コンピュータプログラム。
【請求項１０】
少なくとも１つのプロセッサと、コンピュータ命令を含む少なくとも１つのメモリとを備える装置であって、前記コンピュータ命令が、前記少なくとも１つのプロセッサによって実行されたときに、前記装置に、
少なくとも１つの基地局から受信された信号に基づいて、ユーザデバイスのためのトラッキングエリアを表す、基地局のリストおよび基地局の前記リストに対応するセルのリストを決定することであって、前記少なくとも１つの基地局から受信された前記信号が、前記少なくとも１つの第２の基地局と複数の他の基地局との間の少なくとも１つの境界上におけるアクティビティの量についての表示を含む、決定することと、
ユーザデバイスのアクティブ状態からアイドル状態への遷移のための手順の間に、前記ユーザデバイスのためのトラッキングエリアとしての、基地局の前記リストおよびセルの前記リストのうちの少なくとも一方を含む信号の、前記ユーザデバイスへの送信を制御することと
を行わせる、装置。
【請求項１１】
前記コンピュータ命令が、前記少なくとも１つのプロセッサによって実行されたときに、前記装置に、
前記ユーザデバイスのためのトラッキングエリアとしての、基地局の前記リストおよびセルの前記リストの少なくとも一方を含む信号の、モビリティ管理エンティティへの送信を制御させること
をさらに行わせる、請求項１０に記載の装置。
【請求項１２】
前記コンピュータ命令が、前記少なくとも１つのプロセッサによって実行されたときに、前記装置に、
前記ユーザデバイスに対するページング信号の、モビリティ管理エンティティからの受信を制御することと、
前記ユーザデバイスに対する前記ページング信号の、基地局の前記リスト内の各基地局への送信を制御することと
をさらに行わせる、請求項１０に記載の装置。
【請求項１３】
前記コンピュータ命令が、前記少なくとも１つのプロセッサによって実行されたときに、前記装置に、
前記ユーザデバイスのためのモビリティパラメータを決定すること
をさらに行わせ、
前記ユーザデバイスのための前記トラッキングエリアを表す、基地局の前記リストおよびセルの前記リストのうちの少なくとも一方の決定は、前記ユーザデバイスのための前記モビリティパラメータにさらに基づく、
請求項１０から１２までのいずれか１項に記載の装置。
【請求項１４】
前記コンピュータ命令が、前記少なくとも１つのプロセッサによって実行されたときに、前記装置に、
前記少なくとも１つの基地局のうちの第１の近隣基地局からの、前記少なくとも１つの基地局と複数の基地局とにおける境界アクティビティの量についての表示を含む信号の受信を制御することであって、前記表示が、前記複数の基地局のうちの２つの間の境界と関連付けられたアクティビティが、ある期間においてアクティビティの閾値量を超えることを示す、基地局境界リストを含む、制御することと、
前記装置が、ある期間においてアクティビティの前記閾値量を超えるアクティビティの量を有する、前記少なくとも１つの基地局のうちの１つとの境界を含むかどうかを決定することと、
前記装置が、ある期間においてアクティビティの前記閾値量を超えるアクティビティの量を有する、前記少なくとも１つの第２の基地局のうちの１つとの境界を含むと決定すると、
前記基地局境界リストへの前記境界の識別情報を追加し、
前記基地局境界リストの、前記少なくとも１つの第２の基地局の各々への送信を制御することと
をさらに行わせる、請求項１０から１３までのいずれか１項に記載の装置。
【請求項１５】
前記コンピュータ命令が、前記少なくとも１つのプロセッサによって実行されたときに、前記装置に、
別のユーザデバイスのためのページング信号の、別の基地局からの受信を制御すること、ならびに
以下の少なくとも一方、すなわち、
前記別のユーザデバイスのための前記ページング信号の、前記別のユーザデバイスへの送信を制御すること、および
前記別のユーザデバイスのための前記ページング信号の、さらに別の基地局への送信を制御すること
の少なくとも一方
をさらに行わせる、請求項１０に記載の装置。
【発明の詳細な説明】
【技術分野】
【０００１】
本明細書は、通信に関する。
【背景技術】
【０００２】
通信システムは、固定または移動通信デバイスなどの２つ以上のノードまたはデバイス間の通信を可能にする設備とすることができる。信号は、有線または無線キャリア上で搬送することができる。
セルラ通信システムの例は、第３世代パートナシッププロジェクト（３ＧＰＰ）によって規格化されているアーキテクチャである。この分野における最近の発展は、しばしば、ユニバーサル移動体通信システム（ＵＭＴＳ）無線アクセス技術のロングタームエボリューション（ＬＴＥ）と呼ばれる。Ｅ−ＵＴＲＡ（進化型ＵＭＴＳ地上無線アクセス）は、移動体ネットワークのための３ＧＰＰのロングタームエボリューション（ＬＴＥ）アップグレードパスのエアインターフェースである。ＬＴＥでは、拡張ノードＢ（ｅＮＢ）と呼ばれる基地局が、カバレージエリアまたはセル内で無線アクセスを提供する。ＬＴＥでは、移動デバイスまたは移動局は、ユーザ機器（ＵＥ）と呼ばれる。ＬＴＥは、数々の改善または発展を含んでいる。将来的には、５Ｇが帯域幅を改善し、待ち時間を著しく短縮すると予期されている。
【発明の概要】
【課題を解決するための手段】
【０００３】
例示的な実施によれば、方法は、無線ネットワーク内の第１の基地局によって、少なくとも１つの第２の基地局から受信された信号に基づいて、ユーザデバイスのためのトラッキングエリアを表す、基地局のリストおよび基地局のリストに対応するセルのリストを決定するステップであって、少なくとも１つの第２の基地局から受信された信号が、少なくとも１つの第２の基地局と複数の第３の基地局との間の少なくとも１つの境界上におけるアクティビティの量についての表示を含む、ステップと、ユーザデバイスのアクティブ状態からアイドル状態への遷移のための手順の間に、ユーザデバイスのためのトラッキングエリアとしての、基地局のリストおよびセルのリストのうちの少なくとも一方を含む信号の、第１の基地局からユーザデバイスへの送信を制御するステップとを含むことができる。
【０００４】
別の例示的な実施によれば、装置は、少なくとも１つのプロセッサと、少なくとも１つのプロセッサによって実行されたときに、装置に、少なくとも１つの基地局から受信された信号に基づいて、ユーザデバイスのためのトラッキングエリアを表す、基地局のリストおよび基地局のリストに対応するセルのリストを決定することであって、少なくとも１つの基地局から受信された信号が、少なくとも１つの第２の基地局と複数の他の基地局との間の少なくとも１つの境界上におけるアクティビティの量についての表示を含む、決定することと、ユーザデバイスのアクティブ状態からアイドル状態への遷移のための手順の間に、ユーザデバイスのためのトラッキングエリアとしての、基地局のリストおよびセルのリストのうちの少なくとも一方を含む信号の、ユーザデバイスへの送信を制御することとを行わせるコンピュータ命令を含む、少なくとも１つのメモリとを含む。
別の例示的な実施によれば、コンピュータプログラム製品は、少なくとも１つのデータ処理装置によって実行されたときに、少なくとも１つのデータ処理装置に、少なくとも１つの基地局から受信された信号に基づいて、ユーザデバイスのためのトラッキングエリアを表す、基地局のリストおよび基地局のリストに対応するセルのリストを決定するステップであって、少なくとも１つの基地局から受信された信号が、少なくとも１つの第２の基地局と複数の他の基地局との間の少なくとも１つの境界上におけるアクティビティの量についての表示を含む、ステップと、ユーザデバイスのアクティブ状態からアイドル状態への遷移のための手順の間に、ユーザデバイスのためのトラッキングエリアとしての、基地局のリストおよびセルのリストのうちの少なくとも一方を含む信号の、ユーザデバイスへの送信を制御するステップとを含む方法を実行させるように構成された実行可能コードを記憶した、コンピュータ可読記憶媒体を含む。
【０００５】
例示的な実施によれば、方法は、無線ネットワーク内の第１の基地局における、無線ネットワーク内の複数の基地局のうちの第２の基地局からの、複数の基地局のうちの少なくとも２つの間の境界と関連付けられたアクティビティの量についての表示を有する基地局境界リストを含む信号の受信を制御するステップと、第１の基地局が、ある期間においてアクティビティの閾値量を超えるアクティビティの量を有する、複数の基地局のうちの１つとの境界を含むかどうかを決定するステップと、第１の基地局が、ある期間においてアクティビティの閾値量を超えるアクティビティの量を有する、複数の基地局のうちの１つとの境界を含むと決定すると、基地局境界リストに境界の識別情報を追加し、第１の基地局による、基地局境界リストの、複数の基地局のうちの少なくとも１つへの送信を制御するステップとを含むことができる。
【０００６】
別の例示的な実施によれば、装置は、少なくとも１つのプロセッサと、少なくとも１つのプロセッサによって実行されたときに、装置に、アイドルユーザデバイスと関連付けられた、基地局のリストおよびセルのリストのうちの少なくとも一方の受信を制御することと、アイドルユーザデバイスのためのトラッキングエリアを表すものとして、基地局のリストおよびセルのリストのうちの少なくとも一方を記憶することと、アイドルユーザデバイスのページングをトリガする（ｔｒｉｇｇｅｒ）ように構成されたイベントの受信を制御することと、基地局のリストおよびセルのリストのうちの少なくとも一方の中の基地局の各々への、ページング信号の送信を制御することとを行わせるコンピュータ命令を含む、少なくとも１つのメモリとを含む。
【０００７】
別の例示的な実施によれば、コンピュータプログラム製品は、少なくとも１つのデータ処理装置によって実行されたときに、少なくとも１つのデータ処理装置に、アイドルユーザデバイスと関連付けられた、基地局のリストおよびセルのリストのうちの少なくとも一方の受信を制御するステップと、アイドルユーザデバイスのためのトラッキングエリアを表すものとして、基地局のリストおよびセルのリストのうちの少なくとも一方を記憶するステップと、アイドルユーザデバイスのページングをトリガするように構成されたイベントの受信を制御するステップと、基地局のリストおよびセルのリストのうちの少なくとも一方の中の基地局の各々への、ページング信号の送信を制御するステップとを含む方法を実行させるように構成された実行可能コードを記憶した、コンピュータ可読記憶媒体を含む。
実施の１つまたは複数の例の詳細が、添付の図面および以下の説明において説明される。他の特徴は、説明および図面から、ならびに特許請求の範囲から明らかである。
【図面の簡単な説明】
【０００８】
【図１】例示的な実施による、無線ネットワークのブロック図である。
【図２】複数の無線ネットワークを含むランドエリアのブロック図である。
【図３】ユーザデバイスの例示的な実施を示す図である。
【図４Ａ】例示的な実施による、ユーザデバイスにトラッキングエリア（ＴＡ）を割り当てるための技法を示す図である。
【図４Ｂ】別の例示的な実施による、ユーザデバイスにトラッキングエリア（ＴＡ）を割り当てるための技法を示す図である。
【図５】少なくとも１つの例示的な実施による、トラッキングエリア（ＴＡ）を割り当てるための技法を示すための、複数の無線ネットワークおよび道路を含むランドエリアのブロック図である。
【図６】少なくとも１つの例示的な実施による、トラッキングエリア（ＴＡ）を割り当てるための技法を示すための、複数の無線ネットワークを含む別のランドエリアのブロック図である。
【図７】例示的な実施による、基地局の動作を説明するフローチャートである。
【図８】別の例示的な実施による、基地局の動作を説明するフローチャートである。
【図９】別の例示的な実施による、モビリティ管理エンティティの動作を説明するフローチャートである。
【図１０】例示的な実施による、無線局（例えば、ＢＳまたはユーザデバイスまたは他の無線ノード）のブロック図である。
【発明を実施するための形態】
【０００９】
図１は、例示的な実施による、無線ネットワーク１３０のブロック図である。図１の無線ネットワーク１３０では、ユーザ機器（ＵＥ）と呼ばれることもあるユーザデバイス１３１、１３２、１３３、１３５は、拡張ノードＢ（ｅＮＢ）と呼ばれることもある基地局（ＢＳ）１３４と接続（および通信）することができる。基地局または（ｅ）ノードＢの機能性の少なくとも一部は、リモート無線ヘッドなどの送受信機に動作可能に結合することができる、任意のノード、サーバ、またはホストによって実施することもできる。ＢＳ１３４は、セル１３６内で無線カバレージを提供し、それは、ユーザデバイス１３１、１３２、１３３、１３５を含む。ＢＳ１３４に接続または配属されたものとして、４つのユーザデバイスしか示されていないが、任意の数のユーザデバイスを提供することができる。ＢＳ１３４は、Ｓ１インターフェース１５１を介して、コアネットワーク１５０にも接続される。これは、無線ネットワークの１つの単純な例にすぎず、他のものが使用されてもよい。
【００１０】
ユーザデバイス（ユーザ端末、ユーザ機器（ＵＥ））は、加入者識別モジュール（ＳＩＭ）を用いてまたは用いずに動作する無線移動通信デバイスを含む、ポータブルコンピューティングデバイスのことを指すことができ、以下のタイプのデバイス、すなわち、移動局、モバイルフォン、セルフォン、スマートフォン、携帯情報端末（ＰＤＡ）、ハンドセット、無線モデムを使用するデバイス（警報または測定デバイスなど）、ラップトップおよび／またはタッチスクリーンコンピュータ、タブレット、ファブレット、ゲームコンソール、ノートブック、ならびにマルチメディアデバイスを例として含むが、それらに限定されない。ユーザデバイスは、アップリンク専用にほぼ限定されたデバイスでもよく、その例は、画像またはビデオクリップをネットワークにロードするカメラまたはビデオカメラであることが、理解されるべきである。
【００１１】
（例として）ＬＴＥでは、コアネットワーク１５０は、進化型パケットコア（ＥＰＣ）と呼ばれることがあり、それは、ＢＳ間におけるユーザデバイスのモビリティ／ハンドオーバを処理または支援することができるモビリティ管理エンティティ（ＭＭＥ）、ＢＳとパケットデータネットワークまたはインターネットとの間でデータおよび制御信号を転送することができる１つまたは複数のゲートウェイ、ならびに他の制御機能またはブロックを含むことができる。
【００１２】
図２は、複数の無線ネットワークを含む地理的エリアのブロック図である。図２に示されるように、地理的エリア２００は、複数のセル２０１、２０２、２０３、２０４、２０５、２０６、２０７、２０８、２０９、２１０、２１１、２１２、２１３、２１４、２１５、２１６、２１７、２１８、２１９、２２０、２２１、２２２、２２３、２２４、２２５、２２６、２２７、２２８、２２９、２３０、２３１を含むことができる。セル２０１〜２３１の各々は、図１に関して上で説明されたようなセル（例えば、セル１３６）として構成することができる。セル２０１〜２３１は、任意の数の近隣または隣接セルを有することができる。例えば、セル２０２は、近隣セルとしてセル２０１、２０３、２１２、２１３、２２２、２２３を有するように示されている。セル２０１〜２３１は、オーバーラップしても（例えば、地理的エリアを共有しても）よく、またはしなくてもよい。例えば、セル２０１は、セル２０２、２１２、２１２とオーバーラップするように示されている。
【００１３】
ユーザデバイス（例えば、ＵＥ１３２）は、セル２０１〜２３１の１つまたは複数の中および／または間を移動することができる。例えば、ユーザデバイスは、セル２１４内に所在するユーザの家の中を動き回ることができる。例えば、ユーザデバイスは、セル２０１からセル２０２の中へ、さらにセル２０３の中へ移動することができ、以降も同様である。ユーザデバイスが、接続されており（ＲＲＣ＿ＣＯＮＮＥＣＴＥＤ）、セル２０１からセル２０２に移る場合、セル２０１とセル２０２との間でのハンドオーバ手順が、実行される。
アクティブユーザデバイスが、１つのセルのカバレージエリアから別のセルのカバレージエリアに動いている場合、ハンドオーバ手順は、セル変更が、ユーザデバイスのユーザの認知から隠蔽されるように配慮する。残念ながら、そのようなハンドオーバ手順は、シグナリングを用いて実現される。多くの加入者が潜在的に同じ方向に動いている集団的イベントの場合、このシグナリングは、システムに深刻なボトルネックをもたらすことがある。
【００１４】
他方、この問題点を回避するためばかりでなく、一般にシグナリングを減少させるためにも、別のセル変更手順が、非アクティブユーザのために導入された。ネットワークは、非アクティブユーザデバイスを（一般に、一定期間の非アクティビティの後）アイドルモードに送る。この手順中、ネットワークは、このユーザデバイスのために近所にあるセルのグループ（「トラッキングエリア」）を構成することができる。ユーザデバイスは、トラッキングエリアのこのリスト内で動く限り、ネットワークに通知する必要はない。利点は、トラッキングエリアの内部では、セル変更のためのシグナリングが完全に回避されることである。
【００１５】
例えば、ユーザデバイスが、アイドルであり（ＲＲＣ＿ＩＤＬＥ）、セル２０１からセル２０２に移る場合、無線ネットワークによる応答は、発生しなくてよく、またはトラッキングエリア更新（ＴＡＵ）が、発生することができる。例えば、アイドルユーザデバイスは、（例えば、着信呼があった場合に）ユーザデバイスを見つけることができるように、トラッキングエリア（ＴＡ）と関連付けることができる。ＴＡが、セル２０１および２０２の両方を含む場合、無線ネットワークによる応答は、発生しなくてよい。
【００１６】
ＵＥが、ＴＡＩのリスト外にあるトラッキングエリアに動く場合、端末は、トラッキング更新を実行することによって、ネットワークに通知する。この手順は、一般に、「トラッキングエリア更新」（ＴＡＵ）と呼ばれる。例えば、ＴＡが、セル２０１および２０２をともに含まない場合、ユーザデバイスは、無線ネットワークが、セル２０２を含む新しいＴＡをユーザデバイスに割り当てることができるように、ＴＡＵを伝達することができる。この方法の難点は、ネットワークが、端末が正確にどのセルにキャンプインしているかを知らず、現在のＴＡしか知らないことである。そのため、ネットワークは、端末と交信したい場合、一般に、ＴＡのすべてのセルにおいて「ページング」を行って、ＵＥを追跡しなければならない。
ＴＡがより多くのセルを含むほど、セル変更（例えば、トラッキングエリア更新）が原因のモバイル発信シグナリングが、より多く回避される。しかしながら、別のシグナリングオーバヘッドが、（ユーザロケーションが不明確なので）より広いエリアにおける不必要なページングのせいで導入される。例示的な実施形態によれば、ＴＡは、分配または分散方式で（例えば、動的または基地局において）、ユーザデバイス（例えば、ＵＥ１３２）に割り当てることができる。例示的な実施では、自己組織化ＴＡ定義は、セル境界アクティビティまたはセル変更アクティビティについての相互に交換される情報を使用して、分散方法で実施（例えば、基地局（または基地局ホテル／クラウド／ＢＳ集中エンティティ）において実施）することができる。セル境界アクティビティは、ビジーな（例えば、アクティビティの量が閾値量を超える）セル境界を示すことができる。セル境界アクティビティは、ハンドオーバの数、不具合の数、トラッキングエリア更新の数、および／または１つのセルから別のセルに移るユーザデバイスと関連付けられた、基地局において利用可能な他の任意の情報に基づくことができる。
【００１７】
したがって、そのようなソリューションは、動的である（例えば、トラフィックの、環境の、または配備の変更に迅速に追従する）ことができる。さらに、それは、基地局に知られている（ＭＭＥには知られていない）任意の基準に基づいて、ユーザ固有のＴＡを容易に生成することができる。
例示的な実施形態によれば、各セル（またはセルと関連付けられた基地局）は、それの近隣のもののうち（必ずしも各近隣のものではなく）ビジー境界を有するものに、それ自らのビジー境界について、それのビジー境界の近隣のもの（ｂｕｓｙ−ｂｏｕｎｄａｒｙ−ｎｅｉｇｈｂｏｒｓ）のビジー境界について、およびそれのビジー境界の近隣のもののそのまたビジー境界の近隣のもののビジー境界について通知し、以降も同様である。そのような情報は、周期的／定期的に、例えば、１分に１回、交換することができ、またはイベントベースで、例えば、情報が著しく変化したら直ちに、および／もしくは要求ベースで、例えば、近隣のものが更新を求める場合に、交換することができる。これは、発案のトラッキングエリアを生成するために必要とされる情報を近隣にわたって非常に迅速に伝搬させる。すべてのセルは、支配的なビジー境界が内部にあるように、ＴＡを容易に生成することができる。
【００１８】
したがって、セルは、連続する端末が同じ場所でのＴＡＵを回避するように、僅かな変更をＴＡに追加することさえできる。さらに、ビジー境界についての知識に基づいて、セルは、異なるＵＥのために、例えば、以前に訪れたセルに応じて（以下の例を参照）、またはＵＥカテゴリ／能力に基づき、スピードに応じてなど、異なるＴＡを構成することができる。
【００１９】
例示的な実施によれば、「ビジー境界」、または閾値量を超えるアクティビティを有するセル境界は、接続モードハンドオーバ統計、セル変更に起因するＴＡＵからの統計、および／またはモビリティロバストネス最適化からの統計によって識別することができる。例えば、１つまたは複数のカウンタとして、それらの統計を追加することは、それらの境界がどれほどビジーかについての定量的な理解を近隣に提供し、したがって、セルがトラッキングエリアの端をより良く定義することを可能にする。例えば、あまりにも多くのビジー境界が存在する場合、セルは、より広いエリアにおける最小ビジー境界によって、ＴＡの端を定義する。
【００２０】
図３は、ユーザデバイスの例示的な実施を示す図である。各ユーザデバイスは、ハードウェアおよび／またはソフトウェアで実施することができる、少なくとも１つの無線プロトコルスタックを含むことができる。例示的な実施によれば、プロトコルスタックは、プロトコルスタックの各エンティティのための機能または動作を実行するための、ロジック、および／またはプロセッサによって実行されるコンピュータ命令を含むことができる。ユーザデバイス３１０のための例示的なプロトコルスタックは、例えば、パケットデータ収束プロトコル（ＰＤＣＰ）エンティティ３４０、無線リンク制御（ＲＬＣ）エンティティ３４２、媒体アクセス制御（ＭＡＣ）エンティティ３４４、物理レイヤ（ＰＨＹ）エンティティ３４６、および無線リソース制御（ＲＲＣ）エンティティ３４８を含むことができる。
【００２１】
ＰＤＣＰエンティティ３４０は、例えば、暗号化（データの暗号化および暗号化解除）、ならびにヘッダ圧縮−伸張を実行することができる。ＲＬＣエンティティ３４２は、例えば、セグメンテーション／コンカチネーション、誤り検出および訂正、データ再送、重複検出、ならびに高位レイヤへの順次データ配送を実行することができる。例示的な実施によれば、１つの論理チャネルに対応する１つのＲＬＣが、存在することができる。ＭＡＣエンティティ３４４は、論理チャネルの多重化（この場合、１つまたは複数の論理チャネルが存在することができる）、ハイブリッドＡＲＱ（ＨＡＲＱ）再送（ここで、ＡＲＱは自動再送要求のことを指すことができる）、インバンド制御シグナリングのために使用されるＭＡＣ制御要素（ＭＡＣ  ＣＥ）の挿入、および他のＭＡＣ関連機能を実行する。ＰＨＹエンティティ３４６は、符号化／復号、変調／復調、マルチアンテナマッピング、および他の物理レイヤ機能を処理または実行する。
【００２２】
ＢＳ１３４は、図３に示されたものと同じまたは類似の構造を含むことができ、例えば、パケットデータ収束プロトコル（ＰＤＣＰ）エンティティ３４０、無線リンク制御（ＲＬＣ）エンティティ３４２、媒体アクセス制御（ＭＡＣ）エンティティ３４４、物理レイヤ（ＰＨＹ）エンティティ３４６、および無線リソース制御（ＲＲＣ）エンティティ３４８のうちの１つまたは複数を含む。
ＲＲＣエンティティ３４８は、無線アクセスネットワーク（ＲＡＮ）に関連する数々の機能または手順の処理を担うことができる。例えば、ＲＲＣエンティティ３４８は、ＢＳ１３４からＵＥ１３２へのページング信号の送信の制御を担うことができる。ページング信号は、例えば、ＵＥ１３２がアイドルモード（例えば、ＲＲＣ＿ＩＤＬＥ）にあるときに、ＵＥ１３２に着信呼を通知するために使用することができる。一般に、ＵＥ１３２がアイドルモードにある場合、ＵＥ１３２のロケーションＵＥ１３２のロケーションは、知られていない。言い換えると、無線ネットワーク（例えば、無線ネットワーク１３０）は、ユーザデバイスがアイドルモードにある場合、ユーザデバイス（例えば、ＵＥ１３２）がどのセル（例えば、セル１３６）に所在しているかを知らない。
【００２３】
したがって、コアネットワーク（例えば、コアネットワーク１５０）と関連付けられたモビリティ管理エンティティ（ＭＭまたはＭＭＥ）は、一般に、数々のトラッキングエリア（ＴＡ）を維持し、その各々は、関連するトラッキングエリア識別情報（ＴＡＩ）を有する。ＭＭＥは、その場合、アイドルユーザデバイスを、（ユーザデバイスおよびＭＭＥの両方に記憶された）最後に知られたＴＡＩおよびＴＡＩのリストと関連付ける。ＴＡ（またはＴＡのリスト）は、一般に、中央集中式で（例えば、静的または非柔軟に）計画され、現在のセル状態（例えば、負荷）またはユーザデバイス状態（例えば、移動のスピード）を考慮しない、ＴＡの割り当てをもたらす。
【００２４】
例示的な一実施形態によれば、ＭＭＥは、ユーザデバイスのためのＴＡまたはＴＡＩの代わりに、アンカセルまたはＢＳ（例えば、ユーザデバイスが接続された（ＲＲＣ＿ＣＯＮＮＥＣＴＥＤ）最後のＢＳ）を維持（例えば、記憶）する。別の例示的な実施形態によれば、ＭＭＥは、ユーザデバイスのためのＴＡを表す、基地局のリストおよび／またはおよび／またはセルリストを維持（例えば、記憶）する。基地局のリストは、アンカＢＳによって生成し、ＭＭＥに伝達することができる。したがって、ＴＡを表す基地局のリストは、現在のセル状態および／またはユーザデバイス状態に基づいて、動的であることができる。どちらの例示的な実施形態でも、ユーザデバイスおよび／またはアンカＢＳは、ＴＡを表す基地局のリストも記憶することができる。結果として、ユーザデバイス（例えば、ＵＥ１３２）と関連付けられたＴＡは、分配または分散方式で（例えば、動的または基地局において）、割り当てることができる。
第１の例示的な実施では、ネットワーク内のモビリティ管理（ＭＭ）エンティティは、トラッキングエリアについてまったく知っていない。ＭＭは、端末が（サービングセルとしての、またはアイドルモードのためのアンカセルとしての）最後のサービングセルとまだ関連付けられていると見なしている。したがって、ＭＭエンティティは、ページング情報を、トラッキングエリア（例えば、端末が所在することがあるセルのセット）について知っているこの最後のサービングセルに送信する。セルは、間接的インターフェースを介して（例えば、ＬＴＥではＳ１を介して）、このページング情報をセルに転送し、もしくは直接的インターフェース（例えば、直接的な近隣のものへのＸ２）が利用可能なセルに、この情報を、それを残りのセルに転送するための命令とともに転送し、またはそれらの組み合わせを行う。
【００２５】
図４Ａは、例示的な実施による、ユーザデバイスにトラッキングエリア（ＴＡ）を割り当てるための技法を示す図である。図４Ａに示されるように、信号／ページング信号／メッセージが、ユーザデバイス（ＵＥ）１３２、基地局（ＢＳ）１３４、複数の基地局（ＢＳ）４０２、およびモビリティ管理エンティティ（ＭＭ）４０４のうちの１つまたは複数の間で伝達される。ＭＭ４０４は、コアネットワーク（例えば、コアネットワーク１５０）の要素とすることができる。以下の説明は、信号の伝達について説明している。この信号の伝達は、第１のデバイス（例えば、ＵＥ１３２）による第２のデバイス（例えば、ＢＳ１３４）への信号（またはページング信号もしくはメッセージ）の送信を、コントローラ（例えば、ＲＲＣ３４８）によって制御するものとして説明することができる。第２のデバイスは、その後、信号（またはページング信号もしくはメッセージ）の受信を、第２のデバイスのコントローラ（例えば、ＲＲＣ３４８）によって制御する。
【００２６】
図４Ａに示されるように、信号４１２が、ＵＥ１３２とＢＳ１３４との間で伝達される。信号４１２は、接続セットアップ、またはＵＥ１３２のアイドルモードから接続モードへの遷移と関連付けることができる。例示的な一実施では、信号４１２は、ＴＡＵに基づいてトリガすることができる。別の例示的な実施では、信号４１２は、ＵＥ１３２の初期化（例えば、電源オン）手順に基づいてトリガすることができる。ＴＡ決定をトリガすることができる他の実施も、本開示の範囲内にある。
【００２７】
ＢＳ１３４は、その後、信号４１４をＭＭ４０４に伝達する。信号４１４は、解放信号とすることができる。解放信号は、接続解放完了とすることができる。例示的な一実施では、信号４１４は、ＵＥ１３２と関連付けられた非アクティビティタイマに基づくことができる。接続解放完了は、ＵＥ１３２がＢＳ１３４から切断されたことをＭＭ４０４に示すことができる。信号４１４は、ＢＳ１３４の識別情報を含むことができる。代替として（または加えて）、信号がその上で伝達されるチャネル（例えば、Ｓ１チャネル）が、基地局ＢＳ１３４を識別することができる。したがって、ＭＭ４０４は、ＵＥ１３２のためのアンカセルとして、ＢＳ１３４の識別情報を記憶することができる（ブロック４１６）。言い換えると、ＭＭ４０４は、ＵＥ１３２が接続または配属された最後の基地局の識別情報を、アンカセルとして記憶することができる。例示的な実施形態によれば、アンカセルは、アイドルユーザデバイスのためのＴＡ割り当てまたはＴＡＩ割り当ての代わりに、使用することができる。
【００２８】
信号４１４を伝達するのと並行して（または実質的に並行して）、ＢＳ１３４は、トラッキングエリアを表すセルリストを生成および記憶する（ブロック４１８）。以下でより詳細に説明されるように、トラッキングエリアを表すセルリストは、他の基地局から（例えば、信号として）受信された情報に基づくことができる。情報は、他の基地局の各々によって決定されたようなビジーセル境界を含むことができる。セルリストは、ＵＥ１３２がビジーセル境界においてＴＡＵを発行するのを防止する（例えば、防止することを含む）ような方法で生成することができる。セルリストは、ＢＳ１３４と関連付けられたメモリ（例えば、ハードドライブまたは不揮発性ローカルメモリ）内に記憶することができる。
その後、信号４２０が、ＢＳ１３４からＵＥ１３２に伝達される。信号４２０は、ＲＲＣ接続解放とすることができる。例示的な一実施では、信号４２０は、ＵＥ１３２と関連付けられた非アクティビティタイマに基づくことができる。信号４２０は、ＵＥ１３２がアイドルモードにある間、ＵＥ１３２のためのトラッキングエリアを表す、セルリストを含む。
【００２９】
将来のある時刻に、ＵＥ１３２の所在を明らかにすることを必要とする何らかのイベントが、発生することがある。例えば、ＵＥ１３２に宛てられたテキストメッセージ、データダウンロード、および／または電話呼などが、ＵＥ１３２の所在を明らかにする必要をトリガすることができる。例示的な実施形態によれば、ＭＭ４０４が、ＵＥ１３２のためのアンカセルまたはＢＳを決定する。例えば、ＭＭ４０４は、ブロック４１６における記憶と関連付けられたメモリから、アンカを読み取ることができる。ＭＭ４０４は、その後、アンカセルと関連付けられた（例えば、それのために働く）基地局としてのＢＳ１３４に、ページング信号４２４を伝達する。ページング信号４２４は、ＵＥ１３２の識別情報を含む、Ｓ１アプリケーションプロトコル（Ｓ１ＡＰ）ページングメッセージとすることができる。
【００３０】
ページング信号４２４を受信すると、ＢＳ１３４は、ＵＥ１３２のためのトラッキングエリアを表すセルリスト内の複数のＢＳ４０２の各々に、ページング信号４２６を伝達する。ページング信号４２６は、複数のＢＳ４０２の各々が信号を受信するように、変更されたＸ１アプリケーションプロトコル（ｍＸ１ＡＰ）上で伝達することができる（Ｘ１アプリケーションプロトコル、一般に、近隣セル基地局と通信するように構成される）。例示的な一実施では、ｍＸ１ＡＰは、セルリスト内のすべての基地局がページング信号４２６を受信するまで、それが各ＢＳ４０２を通過させられるように、ページング信号４２６を伝達することを含む。別の例示的な実施では、ｍＸ１ＡＰは、無線通信チャネル上でページング信号４２６を伝達することを含む。また別の例示的な実施では、ｍＸ１ＡＰは、（セルリストを有する）ページング信号４２６をＭＭ４０４に伝達し、今度は、ＭＭ４０４が、セルリスト内の各基地局にページング信号４２６を転送することを含む。
【００３１】
ページング信号４２６を受信すると、セルリスト内の複数のＢＳ４０２の各々とＢＳ１３４は、ページング信号４２８をＵＥ１３２に伝達する。ページング信号４２８は、各基地局（例えば、各セル）のための物理ダウンリンク制御チャネル（ＰＤＣＣＨ）上で伝達することができる。ＵＥ１３２がページング信号４２８に応答する場合、応答を受信している基地局（例えば、ＢＳ４０２のうちの１つ）が、無線通信のためのＵＥ１３２へのリンク（例えば、ＲＲＣリンク）を確立する。
別の例示的な実施では、接続を解放し、ＴＡを有するＵＥを構成することによって、アクティブなＵＥをアイドルに送るセルは、最後の知られたＴＡＩについてＭＭエンティティへの通知もする。これは、ＲＲＣ接続が解放されるときに、セルがＴＡＩ情報をＭＭＥに通知することを暗示する。そのため、モバイル終了トランザクション（例えば、着信呼、ＰＳデータ、ＳＭＳ、または他の任意のイベント）が存在する場合、ＭＭエンティティは、ページング情報がＴＡ内のすべてのセルにマルチキャストされることを保証することができる。
【００３２】
図４Ｂは、別の例示的な実施による、ユーザデバイスにトラッキングエリア（ＴＡ）を割り当てるための技法を示す図である。図４Ｂに示されるように、ブロック／信号４１２、４１８、４２０、４２２は、図４Ａに示されたものと実質的に同じであり、簡潔にするために、繰り返すことはしない。トラッキングエリアを表すセルリストの生成および記憶のトリガ（ブロック４１８）は、ＴＡ決定イベント（例えば、ＵＥ１３２と関連付けられた非アクティビティタイマまたはＴＡＵ）に基づくことができることに留意されたい。
【００３３】
ＢＳ１３４は、信号４３０をＭＭ４０４に伝達する。信号４３０は、解放信号とすることができる。解放信号は、ＲＲＣ接続解放完了とすることができる。ＲＲＣ接続解放完了は、ＵＥ１３２がＢＳ１３４から切断されたことをＭＭ４０４に示すことができる。信号４３０は、ＢＳ１３４の識別情報を含むことができる。代替として（または加えて）、信号がその上で伝達されるチャネル（例えば、Ｓ１チャネル）が、基地局ＢＳ１３４を識別することができる。信号４３０は、ＢＳ１３４によって生成されたような、ＵＥ１３２のためのＴＡを表すセルリストも含むことができる。したがって、ＭＭ４０４は、ＵＥ１３２のためのＴＡを表すセルリストと対応付けて、ＢＳ１３４の識別情報を記憶することができる（ブロック４３２）。例示的な実施形態によれば、ＴＡを表すセルリストは、アイドルユーザデバイスのためのＴＡ割り当てまたはＴＡＩ割り当ての代わりに、使用することができる。
【００３４】
将来のある時刻に、ＵＥ１３２の所在を明らかにすることを必要とする何らかのイベントが、発生することがある。例えば、ＵＥ１３２に宛てられたテキストメッセージ、データダウンロード、および／または電話呼などが、ＵＥ１３２の所在を明らかにする必要をトリガすることができる。例示的な実施形態によれば、ＭＭ４０４は、ＴＡを表すセルリストを使用して、ＵＥ１３２の可能なロケーションを決定する。例えば、ＭＭ４０４は、ブロック４３２における記憶と関連付けられたメモリから、ＴＡを表すセルリストを読み取ることができる。ＭＭ４０４は、その後、ＢＳ１３４およびＴＡを表すセルリスト内に含まれるＢＳ４０２に、ページング信号４３４を伝達する。ページング信号４３４は、ＵＥ１３２の識別情報を含む、Ｓ１アプリケーションプロトコル（Ｓ１ＡＰ）ページングメッセージとすることができる。
【００３５】
ページング信号４３４を受信すると、セルリスト内の複数のＢＳ４０２の各々およびＢＳ１３４は、ＵＥ１３２にページング信号４３６を伝達する。ページング信号４３６は、各基地局（例えば、各セル）のための物理ダウンリンク制御チャネル（ＰＤＣＣＨ）上で伝達することができる。ＵＥ１３２がページング信号４３６に応答する場合、応答を受信している基地局（例えば、ＢＳ４０２のうちの１つ）が、無線通信のためのＵＥ１３２へのリンク（例えば、ＲＲＣリンク）を確立する。
図５は、少なくとも１つの例示的な実施による、トラッキングエリア（ＴＡ）を割り当てるための技法を示すための、複数の無線ネットワークおよび道路を含むランドエリアのブロック図である。この例示的な実施では、図２に関して上で説明されたような地理的エリア２００内の数々のセルによってカバーされる、車両内にユーザデバイスを有する高速の自動車がいる、道路５０５について考察する。この例示的な実施は、ユーザデバイスによって通過されるセルを含む、トラッキングエリアを定義するために、道路５０５のロケーションおよびユーザデバイス情報（例えば、移動のスピード、移動の方向、およびユーザデバイスの数など）を利用することができる。図５は、そのようなＴＡ定義がどのように収束するかを示すための、簡略化された１次元配備を示している。
【００３６】
最初に、各セル２０１〜２３１は、ビジー境界を有する自らの近隣のもののみを識別することができる。反復的に、各セルは、ビジー境界を有するその近隣セルに、自らのビジー境界について通知することができる。そのため、第２のステップにおいて、例えば、セル２０３は、セル２０１〜２０５がすべてビジー境界を介して相互につながれていることを知っている。例は、５回の反復の後、セル２０６が高速端末のためのトラッキングエリアとして全エリアを構成することができることを示している。表１は、これらの反復を示している。
【表１】
0006472507.tif 000002
【００３７】
反復は、定期的な更新手順によって、潜在的には近隣のものからの要求時に、与えることができる。例えば、それらの更新は、分ごとに発生することができ、それは、オーバヘッドを無視できるものにする（１分に１回、１００ｋＢの巨大なリストが転送されると仮定すると、これは、１３ｋｂｐｓのデータレートに対応する）。トラッキングエリアが〜１００個のセルを含む場合、メカニズムは、トラフィックの著しい変化に１００分以内に反応することができる。
この例示的な実施では、基地局は、端末の方向に依存するトラッキングエリアを定義することができる。例えば、アクティブなユーザデバイスが、（反復５の後）セル２０６においてアイドルに送られる場合、セル２０６と関連付けられた基地局は、以前に訪れられたセルが２０９、２０８、２０７である場合は、トラッキングエリアを２０１〜２０６として定義し、セル２０６と関連付けられた基地局は、以前に訪れられたセルが２０２、２０３、２０４、２０５である場合は、トラッキングエリアを２０６〜２１１として定義する。方向は、ＬＴＥにすでにある何らかの履歴（例えば、「ＵＥ履歴」）を含むＵＥコンテキストから読み取ることができる。
【００３８】
基地局は、ユーザデバイスのスピードも考慮することができる。例えば、ユーザデバイスが高速で移動している場合、ＴＡは、ユーザデバイスが低速または比較的低速で移動している場合よりも多くのセルを含むことができる。閾値スピード値が、セルの数と関連するスピード範囲を定義する。例えば、０と３０ｍｐｈの間のスピードは、１０個のセルを含むことができ、３０と４０ｍｐｈの間のスピードは、２０個のセルを含むことができ、４０と５０ｍｐｈの間のスピードは、３０個のセルを含むことができるなどである。
【００３９】
基地局は、道路５０５上のユーザデバイスの数も考慮することができる。例えば、ＴＡ内のセル範囲は、道路５０５上のユーザデバイスの数に基づいて、ランダムに変化させることができる。例えば、第１のユーザデバイスには、トラッキングエリアとして２０１〜２０４を割り当てることができ、第２のユーザデバイスには、トラッキングエリアとして２０１〜２０６を割り当てることができ、第３のユーザデバイスには、トラッキングエリアとして２０１〜２０５を割り当てることができるなどである。
【００４０】
図６は、少なくとも１つの例示的な実施による、トラッキングエリア（ＴＡ）を割り当てるための技法を示すための、複数の無線ネットワークを含む別のランドエリアのブロック図である。図６に示されるように、地理的エリア６００は、複数のセル６０１、６０２、６０３、６０４、６０５、６０６、６０７、６０８、６０９、６１０、６１１、６１２、６１３、６１４、６１５、６１６、６１７、６１８、６１９、６２０、６２１、６２２、６２３、６２４、６２５、６２６、６２７、６２８を含むことができる。セル６０１〜６２８の各々は、図１に関して上で説明されたようなセル（例えば、セル１３６）を構成することができる。セル６０１〜６２８は、任意の数の近隣または隣接セルを有することができる。例えば、セル６０２は、近隣セルとしてセル６０１、６０３、６０６、６０５を有するように示されている。セル６０１〜６３１は、オーバーラップしても（例えば、地理的エリアを共有しても）よく、またはしなくてもよい。例えば、セル６０１は、セル６０２、６０６、６０７とオーバーラップするように示されている。
【００４１】
ユーザデバイス（例えば、ＵＥ１３２）は、セル６０１〜６２８の１つまたは複数の中および／または間を移動することができる。例えば、ユーザデバイスは、セル６１２内に所在するユーザの家の中を動き回ることができる。例えば、ユーザデバイスは、セル６０１からセル６０２の中へ、さらにセル６０３の中へ移動することができ、以降も同様である。ユーザデバイスが、接続されており（ＲＲＣ＿ＣＯＮＮＥＣＴＥＤ）、セル６０１からセル６０２に移る場合、セル６０１とセル６０２との間でのハンドオーバ手順が、実行される。
【００４２】
ユーザデバイスが、アイドルであり（ＲＲＣ＿ＩＤＬＥ）、セル６０１からセル６０２に移る場合、トラッキングエリア更新（ＴＡＵ）は、発生しなくてよい。例えば、アイドルユーザデバイスは、（例えば、着信呼があった場合に）ユーザデバイスを見つけることができるように、トラッキングエリア（ＴＡ）と関連付けることができる。ＴＡが、セル６０１および６０２の両方を含む場合、無線ネットワークによる応答は、発生しなくてよい。ＴＡが、セル６０１および６０２をともに含まない場合、ユーザデバイスは、無線ネットワークが、セル６０２を含む新しいＴＡをユーザデバイスに割り当てることができるように、ＴＡＵを伝達することができる。例示的な実施形態によれば、ＴＡは、分配または分散方式で（例えば、動的または基地局において）、ユーザデバイス（例えば、ＵＥ１３２）に割り当てることができる。
【００４３】
この例示的な実施では、ビジーエリア６５０（例えば、多くの加入者が長方形内で動いている）。図６に示されるように、ビジーエリア６５０は、セル６０６、６０５、６０４、６０９、６１０、６１１、６１３、６１４、６１５、６１６、６１８、６１９、６２０をカバーする。それらのセルの１つにおいてアイドルになっているアクティブユーザのためのトラッキングエリアは、おそらく、このセットからなるべきである。セルがＴＡに含まれるべきかどうか（例えば、セル６１６がセットに属するべきか）は、十分には明らかでない。さらに、アイドルになる２つのユーザデバイスには、異なる（手動で構成される）ＴＡを割り当てることができる。例えば、第１のユーザデバイスには、６０５、６０４、６０６からなるＴＡリストを割り当てることができ、第２のユーザデバイスには、６０５、６０６、６０７を割り当てることができる。いくつかのケースでは、異なるＴＡは、オーバーラップすることができる。ＴＡを手動で生成する技術者またはシステム管理者（など）は、大事を取ってフルセットを指定するが、例えば、セル６１６、６０４、６０６、６１１、６１３には、ユーザデバイスは決して入らないことがある。表２は、各反復の後に、各セルに知られるビジー境界を示している。ネットワークプランニングは、一般に、セルの一部は頻繁に入られ、残りのセルはあまり頻繁には入られないかどうかに関する詳細な知識を有さない。しかしながら、例示的な実施形態は、この情報を含み、ＴＡをしかるべく決定し／生成し／割り当てることができる、基地局について説明する。これは、アイドルユーザデバイスへのＴＡの分散および動的割り当てをもたらす。
【００４４】
【表２】
0006472507.tif 000003
【００４５】
この例示的な実施では、１回の反復において、セルのかなりの部分が、ビジーエリア全体を知っており、したがって、改善されたトラッキングエリアを構成することができることを観測することができる。さらに、例示的なＴＡは、手動のネットワークプランニングによって静的に構成されるトラッキングエリアよりも小さい。
【００４６】
別のまたはさらなる例示的な実施では、セルリストは、以下のフォーマットのうちの少なくとも１つで、近隣セル（例えば、近隣セルのために働く基地局）に伝達することができる。
１．セルリストは、層（ｔｉｅｒ）および近隣のものに関して構造化することができる。例えば、
ａ．直接的な近隣セル：セル１、２、３
ｂ．第２層の近隣のもの
ｉ．セル１：４、５
ｉｉ．セル２：６、１
ｉｉｉ．セル３：７、８
ｃ．第３層の近隣のもの
ｉ．セル４：．．．
ｉｉ．セル５：．．．
ｉｉｉ．セル６：．．．
ｉｖ．セル７：．．．
ｖ．セル８：．．．
ｄ．第４層の近隣のもの．．．
２．セルリストは、層に関してのみ構造化することができる（近隣のものではなく）。例えば、
ａ．直接的な近隣セル：セル１、２、３
ｂ．第２層の近隣のもの：４、５、６、１、７、８
ｃ．第３層の近隣のもの：．．．
３．セルリストは、セルＩＤからなる（潜在的に重複が除去された）構造化されないリストとすることができる。この手法は、簡潔にするために、上述の例において示されていることに留意されたい。例えば、
ａ．１、２、３、４、５、６、７、８
【００４７】
図７〜図９は、例示的な実施形態による方法のフローチャートである。図７〜図９に関して説明されるステップは、装置と関連付けられたメモリ内に記憶され、装置と関連付けられた少なくとも１つのコントローラまたはプロセッサによって実行される、ソフトウェアコードを実行することで実行することができる。しかしながら、代替的な実施形態は、専用プロセッサとして具体化されるシステムのようなものとして企図される。以下で説明されるステップは、コントローラまたはプロセッサによって実行されるものとして説明されるが、ステップは、必ずしも同じコントローラまたはプロセッサによって実行されるとは限らない。言い換えると、少なくとも１つのプロセッサが、図７〜図９に関して以下で説明されるステップを実行することができる。
図７は、例示的な実施による、基地局の動作を説明するフローチャートである。ステップＳ７１０において、無線ネットワーク内の第１の基地局は、ユーザデバイスがアクティブ状態からアイドル状態に遷移したことの決定を制御する。以下のステップは、ユーザデバイス初期化（例えば、電源オン）、またはＴＡＵ手順および／もしくはＴＡ決定をトリガすることができる他の実施に基づいて、トリガすることができる。
【００４８】
ステップＳ７２０において、第１の基地局は、少なくとも１つの第２の基地局から受信された信号に基づいて、ユーザデバイスのためのトラッキングエリアを表す、基地局のリスト（および／またはセルのリスト）を決定し、少なくとも１つの第２の基地局から受信された信号は、少なくとも１つの第２の基地局と複数の第３の基地局との間の少なくとも１つの境界上におけるアクティビティまたは境界アクティビティの量についての表示を含む。アクティビティまたは境界アクティビティの量は、複数の第３の基地局の境界の間の少なくとも１つの境界、複数の第３の基地局の境界の間の少なくとも１つの境界、および／またはそれらの組み合わせに基づくことができる。ステップＳ７３０において、第１の基地局は、ユーザデバイスのためのトラッキングエリアとしての、基地局のリスト（および／またはセルのリスト）を含む信号の、ユーザデバイスへの送信を制御する。
【００４９】
図７で説明された方法の例示的な実施によれば、第１の基地局は、ユーザデバイスのためのトラッキングエリアとしての、基地局のリスト（および／またはセルのリスト）を含む信号の、モビリティ管理エンティティへの送信を制御する。図７で説明された方法の例示的な実施によれば、第１の基地局は、ユーザデバイスに対するページング信号の、モビリティ管理エンティティからの受信と、ユーザデバイスに対するページング信号の、基地局のリスト（および／またはセルのリスト）内の各基地局への送信とを制御する。
【００５０】
図７で説明された方法の例示的な実施によれば、第１の基地局は、境界アクティビティおよび基地局ロケーションに対応するリストを維持し、境界アクティビティおよび基地局ロケーションに対応するリストに基づいて、ユーザデバイスのためのトラッキングエリアを表す、基地局のリスト（および／またはセルのリスト）の決定を制御する。図７で説明された方法の例示的な実施によれば、第１の基地局は、ユーザデバイスのための少なくとも１つのモビリティパラメータの決定を制御し、ユーザデバイスのためのトラッキングエリアを表す、基地局のリスト（および／またはセルのリスト）の決定の制御は、ユーザデバイスのためのモビリティパラメータにさらに基づく。
【００５１】
図７で説明された方法の例示的な実施によれば、第１の基地局は、少なくとも１つの第２の基地局のうちの第１の近隣基地局からの、少なくとも１つの第２の基地局と複数の第３の基地局におけるアクティビティ（または境界アクティビティ）の量についての表示を含む信号の受信を制御し、表示が、複数の第３の基地局のうちの２つの間の境界と関連付けられたアクティビティ（または境界アクティビティ）が、ある期間においてアクティビティの閾値量を超えることを示す、基地局境界リストを含み、また第１の基地局は、第１の基地局が、ある期間においてアクティビティの閾値量を超えるアクティビティの量を有する、少なくとも１つの第２の基地局のうちの１つとの境界を含むかどうかの決定を制御し、第１の基地局が、ある期間においてアクティビティの閾値量を超えるアクティビティの量を有する、少なくとも１つの第２の基地局のうちの１つとの境界を含むと決定すると、第１の基地局は、基地局境界リストへの境界の識別情報の追加、および第１の基地局による、基地局境界リストの、少なくとも１つの第２の基地局の各々への送信の制御を制御する。
図７で説明された方法の例示的な実施によれば、第１の基地局は、別のユーザデバイスのためのページング信号の、別の基地局からの受信を制御し、別のユーザデバイスのためのページング信号の、別のユーザデバイスへの送信を制御し、および／または別のユーザデバイスのためのページング信号の、さらに別の基地局への送信を制御する。図７で説明された方法の例示的な実施によれば、第１の基地局は、上述のステップのいずれかを実施することを含む。図７で説明された方法の例示的な実施によれば、第１の基地局は、上述のステップのいずれかのステップを、ステップがコンピュータ上で実行されるときに、実行するための、（例えば、ソフトウェア製品としての）ソフトウェア部分コードを含む。
【００５２】
図８は、別の例示的な実施による、基地局の動作を説明するフローチャートである。ステップＳ８１０において、無線ネットワーク内の第１の基地局は、無線ネットワーク内の複数の基地局のうちの第２の基地局からの、複数の基地局のうちの少なくとも２つの間の境界と関連付けられたアクティビティ（または境界アクティビティ）の量についての表示を有する基地局境界リストを含む信号の受信を制御する。ステップＳ８２０において、第１の基地局は、リストが、ある期間においてアクティビティの閾値量を超えるアクティビティの量を有する、複数の基地局のうちの１つとの境界を含むかどうかの決定を制御する。ステップＳ８３０において、第１の基地局が、ある期間においてアクティビティの閾値量を超えるアクティビティの量を有する、複数の基地局のうちの１つとの境界を含むと決定すると、ステップＳ８４０において、基地局境界リストに境界の識別情報を追加し、ステップＳ８５０において、第１の基地局による、基地局境界リストの、複数の基地局のうちの少なくとも１つへの送信を制御する。
【００５３】
図８で説明された方法の例示的な実施によれば、第１の基地局は、無線ネットワーク内のユーザデバイスからの信号の受信を制御し、信号は、ユーザデバイスがアクティブ状態からアイドル状態に遷移したことを示し、また第１の基地局は、基地局境界リストに基づいて、ユーザデバイスのためのトラッキングエリアを表す、基地局のリスト（および／またはセルのリスト）の決定を制御し、ユーザデバイスのためのトラッキングエリアとしての、基地局のリスト（および／またはセルのリスト）を含む信号の、ユーザデバイスへの送信を制御する。図８で説明された方法の例示的な実施によれば、第１の基地局は、ユーザデバイスの解放を示し、ユーザデバイスのためのアンカ基地局としての第１の基地局の識別情報を含む信号の、モビリティ管理エンティティへの送信を制御し、ユーザデバイスのためのトラッキングエリアとしての、基地局のリスト（および／またはセルのリスト）を含む信号の、モビリティ管理エンティティへの送信を制御する。
【００５４】
図９は、別の例示的な実施による、モビリティ管理エンティティの動作を説明するフローチャートである。ステップＳ９１０において、装置は、アイドルユーザデバイスと関連付けられた基地局のリスト（および／またはセルのリスト）の受信を制御する。ステップＳ９２０において、装置は、アイドルユーザデバイスのためのトラッキングエリアを表すものとして基地局のリスト（および／またはセルのリスト）を記憶する。ステップＳ９３０において、装置は、アイドルユーザデバイスのページングをトリガするように構成されたイベントの受信を制御する。ステップＳ９４０において、装置は、基地局のリスト内の（および／またはセルのリストに対応する）基地局の各々への、ページング信号の送信を制御する。
【００５５】
図１０は、例示的な実施による、無線局（例えば、ＢＳまたはユーザデバイス）１０００のブロック図である。無線局１０００は、例えば、２つのＲＦ（無線周波数）または無線送受信機１００２Ａ、１００２Ｂを含むことができ、各無線送受信機は、信号を送信するための送信機と、信号を受信するための受信機とを含む。無線局は、命令またはソフトウェアを実行し、信号の送信および受信を制御するための、プロセッサまたは制御ユニット／エンティティ（コントローラ）７０４と、データおよび／または命令を記憶するためのメモリ１００６も含む。
【００５６】
プロセッサ１００４は、また、判定または決定を行い、送信のためにフレーム、パケット、またはメッセージを生成し、受信フレームまたはメッセージをさらなる処理のために復号し、本明細書で説明される他のタスクまたは機能を行うことができる。例えば、ベースバンドプロセッサとすることができる、プロセッサ１００４は、無線送受信機１００２（１００２Ａまたは１００２Ｂ）を介する送信のために、メッセージ、パケット、フレーム、または他の信号を生成することができる。プロセッサ１００４は、無線ネットワーク上での信号またはメッセージの送信を制御することができ、（例えば、無線送受信機１００２によってダウンコンバートされた後）無線ネットワークを介する、信号またはメッセージなどの受信を制御することができる。プロセッサ１００４は、上で説明されたタスクまたは方法の１つまたは複数など、上で説明された様々なタスクおよび機能を実行するために、メモリ内または他のコンピュータ媒体上に記憶された、ソフトウェアまたは他の命令を実行するようにプログラム可能であり、実行することが可能であるとすることができる。プロセッサ１００４は、例えば、ソフトウェアもしくはファームウェアを実行するハードウェア、プログラム可能ロジック、プログラム可能プロセッサ、および／またはこれらの任意の組み合わせとすることができる（またはそれらを含むことができる）。他の用語を使用すると、プロセッサ１００４および送受信機１００２は、一緒に、例えば、無線送信機／受信機システムと見なすことができる。
【００５７】
加えて、図１０を参照すると、コントローラ（またはプロセッサ）１００８は、ソフトウェアおよび命令を実行することができ、局１０００に対する全体的な制御を提供することができ、入力／出力デバイス（例えば、ディスプレイ、キーパッド）の制御など、図１０に示されていない他のシステムに対する制御を提供することができ、および／または例えば、電子メールプログラム、オーディオ／ビデオアプリケーション、ワードプロセッサ、ボイスオーバーＩＰアプリケーション、もしくは他のアプリケーションもしくはソフトウェアなど、無線局１０００上で提供することができる１つもしくは複数のアプリケーションのためのソフトウェアを実行することができる。
【００５８】
加えて、コントローラまたはプロセッサによって実行されたときに、プロセッサ１００４または他のコントローラもしくはプロセッサに、上で説明された機能またはタスクの１つまたは複数を実行させることができる、記憶された命令を含む、記憶媒体を提供することができる。
別の例示的な実施によれば、ＲＦまたは無線送受信機１００２Ａ／１００２Ｂは、信号もしくはデータを受信すること、および／または信号もしくはデータを伝送もしくは送信ことができる。プロセッサ１００４（およびおそらくは送受信機１００２Ａ／１００２Ｂ）は、信号またはデータを受信し、送信し、ブロードキャストし、または伝送するために、ＲＦまたは無線送受信機１００２Ａまたは１００２Ｂを制御することができる。
【００５９】
装置の例は、無線ネットワーク内のユーザデバイスによって、基地局から受信されたデータユニットの順序が狂っていることを決定するための手段（１００４および／または１００２Ａ／１００２Ｂ）と、ユーザデバイスが順序の狂ったデータユニットを受信したことを示すための、ユーザデバイスから基地局への、順序狂い表示の送信を制御するための手段（１００４および／または１００２Ａ／１００２Ｂ）も含むことができる。
装置の別の例は、無線ネットワーク内のユーザデバイスによって、ハイブリッドＡＲＱプロセスのための新規データインジケータのステータスに基づいて、ハイブリッドＡＲＱプロセスのための基地局からのデータユニットの予期された再送の受信の失敗を決定するための手段（１００４および／または１００２Ａ／１００２Ｂ）と、決定に基づいて、ユーザデバイスから基地局への信号の送信を制御するための手段（１００４および／または１００２Ａ／１００２Ｂ）とを含むことができる。装置は、決定に基づいて、ハイブリッドＡＲＱプロセスのための基地局からのデータユニットの予期された再送の受信の失敗を示す、ハイブリッドＡＲＱプロセスのための再送失敗表示の、ユーザデバイスから基地局への送信を制御するための手段（１００４および／もしくは１００２Ａ／１００２Ｂ）も含むことができ、ならびに／またはユーザデバイスによって、基地局から、アップリンクリソースを獲得するための手段（１００４および／もしくは１００２Ａ／１００２Ｂ）と、ユーザデバイスから基地局への、獲得されたアップリンクリソースを介した、ステータスレポートの送信を制御するための手段（１００４および／もしくは１００２Ａ／１００２Ｂ）であって、ステータスレポートが、予期された再送の受信の失敗が決定されたデータユニットの否定応答のステータスを含む、１つもしくは複数のデータユニットのための肯定応答もしくは否定応答のステータスを示す、手段も含むことができる。
【００６０】
本明細書で説明された様々な技法の実施は、デジタル電子回路で、もしくはコンピュータハードウェア、ファームウェア、ソフトウェアで、またはそれらの組み合わせで実施することができる。実施は、コンピュータプログラム製品として、すなわち、データ処理装置、例えば、プログラム可能プロセッサ、コンピュータ、もしくは複数のコンピュータによって実行するための、またはそれらの動作を制御するための、情報キャリア、例えば、機械可読記憶デバイスにおいて、または伝搬信号において、有形に具体化されるコンピュータプログラムとして、実施することができる。実施は、不揮発性媒体とすることができる、コンピュータ可読媒体またはコンピュータ可読記憶媒体上でも提供することができる。様々な技法の実施は、一時的な信号もしくは媒体を介して提供される実施、ならびに／または有線ネットワークおよび／もしくは無線ネットワークのどちらかである、インターネットもしくは他のネットワークを介してダウンロード可能な、プログラムおよび／もしくはソフトウェア実施も含むことができる。加えて、実施は、マシンタイプコミュニケーション（ＭＴＣ）を介して、およびインターネットオブシングス（ＩＯＴ）も介して提供することができる。
【００６１】
コンピュータプログラムは、ソースコード形態、オブジェクトコード形態、または何らかの中間形態を取ることができ、それは、プログラムを搬送することが可能な任意のエンティティまたはデバイスとすることができる、何らかの種類のキャリア、配布媒体、またはコンピュータ可読媒体内に記憶することができる。そのようなキャリアは、例えば、記録媒体、コンピュータメモリ、リードオンリーメモリ、光電子的および／もしくは電気的搬送信号、電気通信信号、ならびにソフトウェア配布パッケージを含む。必要とされる処理能力に応じて、コンピュータプログラムは、単一の電子的デジタルコンピュータで実行することができ、またはそれは、数々のコンピュータの間に分散させることができる。
【００６２】
さらに、本明細書で説明される様々な技法の実施は、サイバーフィジカルシステム（ＣＰＳ）（物理的エンティティを制御する協力するコンピュータ要素からなるシステム）を使用することができる。ＣＰＳは、異なるロケーションにある物理的オブジェクト内に埋め込まれた大量の相互接続されたＩＣＴデバイス（センサ、アクチュエータ、プロセッサ、および／またはマイクロコントローラなど）の実施および利用を可能にすることができる。問題の物理的システムが本来的にモバイルである、モバイルサイバーフィジカルシステムは、サイバーフィジカルシステムのサブカテゴリである。モバイルフィジカルシステムの例は、人または動物によって運搬されるモバイルロボティクスおよびエレクトロニクスを含む。スマートフォンの人気の高まりが、モバイルサイバーフィジカルシステムの分野に対する関心を高めている。したがって、本明細書で説明される技法の様々な実施は、これらの技術の１つまたは複数を介して提供することができる。
【００６３】
上で説明されたコンピュータプログラムなどのコンピュータプログラムは、コンパイル型言語またはインタープリタ型言語を含む、任意の形態のプログラミング言語で書くことができ、スタンドアロンプログラムとしての形態、またはモジュール、コンポーネント、サブルーチン、もしくはコンピューティング環境で使用するのに適した他のユニットもしくはそれの一部としての形態を含む、任意の形態で配備することができる。コンピュータプログラムは、１つのコンピュータ上で実行されるように、または１つのサイトにある複数のコンピュータ、もしくは複数のサイトにわたって分散され、通信ネットワークによって相互接続された複数のコンピュータ上で実行されるように、配備することができる。
【００６４】
方法ステップは、入力データに基づいて動作し、出力を生成することによって、機能を実行する、コンピュータプログラムまたはコンピュータプログラムの部分を実行する、１つまたは複数のプログラム可能プロセッサによって実行することができる。方法ステップは、専用論理回路、例えば、ＦＰＧＡ（フィールドプログラマブルゲートアレイ）またはＡＳＩＣ（特定用途向け集積回路）によって実行することもでき、装置は、専用論理回路として実施することができる。
【００６５】
コンピュータプログラムの実行に適したプロセッサは、例として、汎用および専用両方のマイクロプロセッサ、ならびに任意の種類のデジタルコンピュータ、チップ、またはチップセットであるいずれか１つまたは複数のプロセッサを含む。一般に、プロセッサは、リードオンリーメモリもしくはランダムアクセスメモリまたは両方から、命令およびデータを受け取る。コンピュータの要素は、命令を実行するための少なくとも１つのプロセッサと、命令およびデータを記憶するための１つまたは複数のメモリデバイスとを含むことができる。一般に、コンピュータは、データを記憶するための１つもしくは複数の大容量記憶デバイス、例えば、磁気ディスク、光磁気ディスク、もしくは光ディスクも含むことができ、またはそれらからのデータの受け取り、それらへのデータの転送、もしくは両方を行うために動作可能に結合することができる。コンピュータプログラム命令およびデータを具体化するのに適した情報キャリアは、例として、半導体メモリデバイス、例えば、ＥＰＲＯＭ、ＥＥＰＲＯＭ、およびフラッシュメモリデバイスと、磁気ディスク、例えば、内蔵ハードディスクまたは着脱可能ディスクと、光磁気ディスクと、ＣＤ  ＲＯＭおよびＤＶＤ−ＲＯＭディスクとを含む、すべての形態の不揮発性メモリを含む。プロセッサおよびメモリは、専用論理回路によって補助することができ、またはその中に組み込むことができる。
【００６６】
ユーザとの対話を提供するために、実施は、情報をユーザに表示するためのディスプレイデバイス、例えば、ブラウン管（ＣＲＴ）または液晶表示（ＬＣＤ）モニタと、ユーザがそれによって入力をコンピュータに提供することができる、キーボード、および例えば、マウスまたはトラックボールなどのポインティングデバイスなどの、ユーザインターフェースとを有するコンピュータ上で実施することができる。他の種類のデバイスも、同じくユーザとの対話を提供するために使用することができ、例えば、ユーザに提供されるフィードバックは、感覚フィードバックのいずれかの形態、例えば、視覚フィードバック、聴覚フィードバック、または触覚フィードバックとすることができ、ユーザからの入力は、音響入力、音声入力、または触覚入力を含む任意の形態で、受け取ることができる。
【００６７】
実施は、例えば、データサーバとしての、バックエンドコンポーネントを含む、またはミドルウェアコンポーネント、例えば、アプリケーションサーバを含む、またはフロントエンドコンポーネント、例えば、ユーザがそれを通して実施と対話することができる、グラフィカルユーザインターフェースもしくはウェブブラウザを有する、クライアントコンピュータを含む、またはそのようなバックエンド、ミドルウェア、もしくはフロントエンドコンポーネントの任意の組み合わせを含む、コンピューティングシステムで実施することができる。コンポーネントは、任意の形態または媒体のデジタルデータ通信、例えば、通信ネットワークによって相互接続することができる。通信ネットワークの例は、ローカルエリアネットワーク（ＬＡＮ）と、ワイドエリアネットワーク（ＷＡＮ）、例えば、インターネットとを含む。
【００６８】
説明された実施のある特徴は、本明細書で説明されたように説明されたが、今では、当業者には、多くの修正、置換、変更、および均等物が思い浮かぶであろう。したがって、添付の特許請求の範囲が、そのようなすべての修正および変更を、様々な実施形態の真の主旨に包含されるものとして、カバーすることが意図されていることが理解されるべきである。
【図１】
0006472507.tif 000004
【図２】
0006472507.tif 000005
【図３】
0006472507.tif 000006
【図４Ａ】
0006472507.tif 000007
【図４Ｂ】
0006472507.tif 000008
【図５】
0006472507.tif 000009
【図６】
0006472507.tif 000010
【図７】
0006472507.tif 000011
【図８】
0006472507.tif 000012
【図９】
0006472507.tif 000013
【図１０】
0006472507.tif 000014